(57)【要約】【課題】商品と同様の香りを消費者に積極的に体験してもらうことが可能になり、該商品の購買意欲が向上することを期待することができる香り提示装置を提供すること。【解決手段】本発明の香り提示装置１は、先端部２２に開口２０を有し、基端部２１側から先端部２２側に向けて放射方向に広がる中空状のフード部２と、フード部２の内部に配された３Ｄ画像部３と、フード部２の内部に配された香り発生部４とを備えている。【選択図】図１
2018000691.tif 000002
【特許請求の範囲】
【請求項１】
先端部に開口を有し、基端部側から先端部側に向けて放射方向に広がる中空状のフード部と、
前記フード部の内部に配されたピクチャーと、
前記フード部の内部に配された香り発生部とを備えた香り提示装置。
【請求項２】
前記フード部又は前記ピクチャーは、見る角度に応じて見え方が変化する、請求項１に記載の香り提示装置。
【請求項３】
前記ピクチャーは、見る角度に応じて見える内容が変化する、請求項１に記載の香り提示装置。
【請求項４】
前記ピクチャーは、所定の商品が有する香りと関連する内容が表されたものであり、前記香り発生部は、該商品が有する香りと同様の香りを放出するものである、請求項１〜３の何れか１項に記載の香り提示装置。
【請求項５】
商品の陳列棚に、前記フード部の前記開口を通路側に向けて取り付けられている、請求項１〜４の何れか１項に記載の香り提示装置。
【請求項６】
前記フード部は、光透過率が２０％以上である請求項１〜５の何れか１項に記載の香り提示装置。
【発明の詳細な説明】
【技術分野】
【０００１】
本発明は、香り提示装置に関し、詳しくは、シャンプーやリンス、柔軟剤等の香りを体験してもらい易くする香り提示装置に関する。
【背景技術】
【０００２】
昨今、例えば、シャンプーやリンス、又は制汗剤等の化粧品、柔軟剤等の日用品においても、様々な種類の商品が展開されており、それぞれにおいて、他の商品との差別化が図られている。そのような中で、香りによる他商品との差別化は重要な要素の１つであり、様々な香りが付与された商品が多々販売されている。
【０００３】
しかし、香りによる差別化は、実際に消費者に香りを体験してもらわないと分からない部分が多く、また消費者が店頭で商品を開封して香りを確認することもできない。そこで、従来、商品と同じ香料を含有させた香り見本を収容した香り提示装置を、商品の近くに置くことで消費者に該商品の香りを自由に体験してもらい、その商品の購買意欲を向上させることが一般的である（例えば、特許文献１参照）。
【先行技術文献】
【特許文献】
【０００４】
【特許文献１】特開平０８−４１２号公報
【発明の概要】
【発明が解決しようとする課題】
【０００５】
しかし、一般に、香り提示装置は、商品に比して小さく目立たず、その存在を消費者に見過ごされたり、興味をひかれないものが多い。そのため、単に商品の近くに香り提示装置を置いておくだけでは、実際に消費者に香り見本の香りを体験してもらうに至らない場合が多い。また、店内に香り提示装置を置く場合、店内の空調等の影響により香り見本の香りが飛んでしまい、商品の近くに置かれた香り提示装置の前で、消費者に十分に香り体験してもらうことができない場合がある。
【０００６】
したがって本発明の課題は、前述した従来技術が有する欠点を解消し得る香り提示装置を提供することにある。
【課題を解決するための手段】
【０００７】
本発明は、先端部に開口を有し、基端部側から先端部側に向けて放射方向に広がる中空状のフード部と、前記フード部の内部に配されたピクチャーと、前記フード部の内部に配された香り発生部とを備えた香り提示装置を提供するものである。
【発明の効果】
【０００８】
本発明の香り提示装置によれば、商品の近くで、該商品と同様の香りを消費者に積極的に体験してもらうことが可能になり、該商品の購買意欲が向上することを期待することができる。
【図面の簡単な説明】
【０００９】
【図１】図１は、本発明の実施形態に係る香り提示装置の斜視図である。
【図２】図２は、図１に示す香り提示装置の正面図である。
【図３】図３は、図１に示す香り提示装置のＩＩＩ−ＩＩＩ線断面図である。
【図４】図４は、図１に示す香り提示装置の分解斜視図である。
【図５】図５は、本発明の実施形態に係る香り提示装置が商品棚に取り付けられた状態を模式的に示す斜視図である。
【図６】図６は、見る角度に応じて現れる内容が変化する様子を示す図であり、図６（ａ）は消費者が異なる角度から３Ｄ画像を見ている様子を示す図であり、図６（ｂ）及び図６（ｃ）は角度により現れる内容が変化する３Ｄ画像を示す図である。
【発明を実施するための形態】
【００１０】
以下本発明を、その好ましい実施形態に基づき図面を参照しながら説明する。図１には、本発明の実施形態に係る香り提示装置１の斜視図が示されており、図２には、図１に示す香り提示装置１の正面図が示されている。また、図３には、図１に示す香り提示装置１のＩＩＩ−ＩＩＩ線断面図が示されており、図４には、図１に示す香り提示装置１の分解斜視図が示されている。
【００１１】
図１〜図４に示すように、本実施形態に係る香り提示装置１は、開口２０を有する中空状に形成されたフード部２と、フード部２の内部に配された３Ｄ画像部３と、フード部２の内部に配された香り発生部４と、フード部２の開口２０を通路１３側に向けた状態でフード部２を商品棚１２に取り付けるための支持部材５（図５参照）と、を備えている。
【００１２】
図１及び図４に示すように、フード部２は、基端部２１から先端部２２に向けて放射方向に広がる円錐台形状に形成されており、基端部２１が封止されると共に、先端部２２に開口２０が設けられている。また、フード部２は、図３に示すように、先端部２２の開口面２０ａがフード部２の中心軸Ｘと直交するように形成されており、本実施形態では、基端部２１の基端面２１ａも中心軸Ｘと直交するように形成されている。更に、フード部２は、先端部２２の開口面２０ａの中心及び基端部２１の基端面２１ａの中心が、フード部２の中心軸Ｘ上に位置するように形成されている。
【００１３】
先端部２２の開口２０は、消費者の鼻及び口を覆うことが可能な大きさ及び形状に形成されていることが好ましい。斯かる観点から、先端部２２の開口面２０ａの面積が、好ましくは３ｃｍ２以上、より好ましくは１２ｃｍ２以上、更に好ましくは１９ｃｍ２以上である。また好ましくは３００ｃｍ２以下、より好ましくは１７０ｍｍ２以下、更に好ましくは７８ｃｍ２以下、更に好ましくは３８ｃｍ２以下である。
また、開口２０（開口面２０ａ）の形状は、略円形にすることが好ましく、開口２０（開口面２０ａの形状を略円形に形成した場合、先端部２２の開口２０（開口面２０ａ）の直径は、２〜２０ｃｍが好ましく、より好ましくは２〜１５ｃｍ、更に好ましくは４〜１０ｃｍ、更に好ましくは５〜７ｃｍである。
基端部２１の基端面２１ａの大きさは、フード部２の奥行、すなわち開口面２０aから基端面２１ａまでの中心軸Ｘに沿う方向の距離にもよるが開口面２０ａより小さく、その内部に３Ｄ画像部３と香り発生部４を配する大きさを有すればよい。
【００１４】
図２及び図３に示すように、フード部２の内部には、３Ｄ画像部３をその内部における所定の位置で係止する第１係止部２３が設けられている。本実施形態では、第１係止部２３は、フード部２の一部を切り欠いて形成されており、フード部２の一部を切り欠いた部分を内方に折り込み、折り込んだ部分が元の状態に戻ろうとする弾性力で３Ｄ画像部３の外縁を基端部２１側に押圧することで３Ｄ画像部３をフード部２の内部で係止する。
第１係止部２３が形成される所定の位置としては、開口面２０ａと基端部２１の面積、およびフード部２の奥行との兼ね合いもあるが、フード内部の３Ｄ画像３０の見やすさと、フード部２の内部に香り発生部４から発生した香りの香りだまりを設けさせる観点から、開口面２０ａから２ｃｍ以上基端面２１ａ側であることが好ましく、特に、開口面２０ａの直径が５ｃｍ以上と大きい場合には、基端面２１ａとの中心軸Ｘ方向における中間位置よりも基端面２１ａ側であることがより好ましい。
なお本実施形態では、第１係止部２３を用いて３Ｄ画像部３を所定の位置に係止させたが、例えば粘着テープや両面テープ等の簡易な固定手段で所定の位置に３Ｄ画像部３を固定させてもよい。
【００１５】
更に、図２に示すように、フード部２の外周面２５には、支持部材５の後述する第１及び第２支持部５０ａ，５０ｂを係止する第２係止部２６ａ，２６ｂが設けられている。第２係止部２６ａ，２６ｂは、フード部２の一部を切り欠いて形成されており、フード部２の一部を切り欠いた部分を外方に折り込み、折り込んだ部分が元の状態に戻ろうとする弾性力で支持部５０を先端部２２側に押圧することで支持部５０を係止する。
第２係止部２６が形成される所定の位置としては、フード部２に３Ｄ画像部３及び香り発生部４を収容した場合の重量バランスの観点から、３Ｄ画像部３及び香り発生部４が収容された位置の近傍が好ましい。
なお本実施形態では、第２係止部２６を用いて支持部材５を所定の位置に係止させたが、例えば粘着テープや両面テープ等の簡易な固定手段で所定の位置に支持部材５を固定させてもよい。
【００１６】
更に、フード部２は、側方からでも内部に配された３Ｄ画像部３の画像を見ることができるように、光透過性を有する有色透明に形成されている。フード部２の光透過率としては、２０％以上が好ましく、より好ましくは４０％以上である。また、有色透明の色としては、香り発生部４の香りに関連した色にすることが好ましい。例えば、香り発生部４の香りが花の香りの場合は透明なピンク色、石鹸の香りの場合は透明な白色、森林の香りの場合は透明な緑色、柑橘系の香りの場合は透明の黄色等にすることが好ましい。
【００１７】
なお、本実施形態では、フード部２を有色透明に形成したが、フード部２を無色透明にしたり、内部に配された３Ｄ画像部３の画像が見える程度に、外周面２５に模様を付したものであっても良い。フード部を無色透明にすることで、内部に配された３Ｄ画像部３を認識しやすくなり、フード部２の外周面２５に模様を付すことで、フード部２が目立ちやすくなり、消費者に香り提示装置１の存在を気づいてもらいやすくなる。
【００１８】
フード部２を構成する材料としては、合成樹脂製のフィルムシートを用いることができ、合成樹脂製のフィルムシート以外にも、例えば、ガラスやセラミックスを用いることができる。合成樹脂製のフィルムシートを用いることで、香り提示装置１を安価に製造することができる。フード部２は、合成樹脂のブロー成形又は射出成形品等であっても良い。
【００１９】
３Ｄ画像部３は、外縁がフード部２の内周面２４に当接可能となるように、外形が略円形の薄板状に形成されており、本実施形態では、厚紙に３Ｄ写真を貼り付けることで形成されている。また３Ｄ画像部３は、その中心がフード部２の中心軸Ｘ上に位置した状態で、外縁がフード部２の内周面２４と当接するように形成されている。つまり、３Ｄ画像部３は、フード部２の中心軸Ｘ上、即ち、先端部２２の開口面２０ａの中心と同軸上で第１係止部２３に係止されている。また、本実施形態では、３Ｄ画像部３は、先端部２２の開口面２０ａと略平行に配されている。３Ｄ画像部３は、その中心が先端部２２の開口面２０ａの中心と同軸上、且つ先端部２２の開口面２０ａと略平行に設けられることで、フード部２の開口２０を介して見やすくなっている。
【００２０】
３Ｄ画像部３の画像としては、見る角度に応じて現れる内容が変化するもの、例えば写真、絵画、看板、ポスター、パネル上の文字、書道、書画等の手書きした文字、図形等からなる原画に対し、その一部もしくは全体が実際に立体的に盛り上がっているか、若しくは原画自体は平面ではあるが、外見上その一部が盛り上がっているように見える画像（いわゆる３Ｄ画像）であることが好ましい。
また、フード部２の内周面２４に反射鏡を貼り、３Ｄ画像部３にビーズ等の細片を収容して万華鏡のように３Ｄ画像を見せるように構成しても良い。更に、例えば３Ｄ画像部３に小型の液晶パネルを設置し、液晶パネルに動画や静止画等を映し出すように構成してもよい。液晶パネルに画像を映し出す場合、例えば、フード部の先端部２２に人感センサを設け、人感センサが人を感知した場合に映像が映し出されるようにしても良い。更にまた、これらを組み合わせた構成であっても良い。
【００２１】
また、３Ｄ画像部３の画像３０としては、香り発生部４に関連した画像にすることが好ましい。例えば、香り発生部４の香りが花の香りの場合は花の画像、石鹸の香りの場合は泡の画像、森林の香りの場合は森林の画像、柑橘系の香りの場合は柑橘系のフルーツの画像にすることが好ましい。
本実施形態では、香り発生部４に花の香りが用いられていることから、３Ｄ画像部３には、見る角度により見える花の絵が変化する花の画像が配されている（図６参照）。
【００２２】
また、３Ｄ画像部３の裏面に配された香り発生部４の香りを、３Ｄ画像部３を介して先端部２２に設けられる開口２０に向けて効率的に移動させる観点から、３Ｄ画像部３をメッシュ状にしたり、フード部２の内周面２４と３Ｄ画像部３の外縁との間に所定ピッチで隙間を設けたりして、香りの流通路を設ける構成とすることが好ましい。
【００２３】
香り発生部４は、３Ｄ画像部３の裏面と、フード部２の基端部２１の基端面２１ａとの間に配されている。香り発生部４は、商品棚１２に陳列される商品１１（図５参照）の有する香料と同様の香料を含有する香りビーズ４０と、香りビーズ４０を収容するビーズ収容部４１とを有している。
【００２４】
本実施形態では、香り発生部４に用いられる香り見本を固形状の香りビーズ４０としたが、香り見本としては、香料組成物を含浸又は担持可能なものであればよく、その形状は、粒状、ジェル状、スポンジ状又はシート状であっても良い。また、担持体の材質は、シリカゲル、ゼオライト、ベントナイト等の無機酸化物や、活性炭、パルプ、セルロース等の有機高分子化合物などの多孔質粒子、紙、不織布等が使用できる。香り見本を固形状の香りビーズとすることで、交換等の扱いが容易となる。
【００２５】
ビーズ収容部４１は、香りビーズ４０を収容可能に形成されている。なお、本実施形態では、ビーズ収容部４１として粒状の香りビーズ４０を収容可能な収容部を用いたが、香り見本の性状が、ジェル状又は液状の場合には、気体は通過させるがジェル又は液体は通過させない材料により形成した収容部を用いることが好ましい。つまり、ビーズ収容部４１は、香り見本の性状に応じた容器とすることが好ましい。
本実施形態では、ビーズ収容部４１は、３Ｄ画像部３の裏面に不図示の粘着テープにより貼り付けられているが、フード部２の内周面２４に粘着テープ等で貼り付けても良い。
【００２６】
図４に示すように、支持部材５は、フード部２を支持する支持部５０と、商品棚１２等の任意の場所に取り付け可能に構成された取付け部５１とを有している。
【００２７】
支持部５０は、第１支持部５０ａと、第１支持部５０ａと所定間隔離間した第２支持部５０ｂとを有している。第１及び第２支持部５０ａ，５０ｂは、フード部２の外周面２５と当接可能に形成された円形当接部５２ａ，５２ｂを有しており、フード部２を円形当接部５２ａ，５２ｂに挿通させて、フード部２に形成された、上述の第２係止部２６ａ，２６ｂに係止されることでフード部２を支持するようになっている。支持部５０は、第１支持部５０ａと第２支持部５０ｂとを有することで、安定的にフード部２を支持する。
【００２８】
図３に示すように、取り付け部５１は、平面部５３と、平面部５３に貼り付けられた粘着部５４とを有している。平面部５３は、支持部５０の反対側に設けられており、粘着部５４を商品棚１２に貼り付けることで、商品棚１２に任意の姿勢で取り付け可能になっている。
【００２９】
次に、上述した本実施形態に係る香り提示装置１を使用した際の作用効果について説明する。図５は、本発明の実施形態に係る香り提示装置１が商品棚１２に取り付けられた状態を模式的に示す斜視図である。図６は、見る角度に応じて現れる画像が変化する様子を示す図であり、図６（ａ）は消費者が異なる角度から３Ｄ画像部３を見ている様子を示す図であり、図６（ｂ）及び図６（ｃ）は角度により見え方が変わる３Ｄ画像３０を示す図である。
【００３０】
本実施形態に係る香り提示装置１は、該香り提示装置１に収容された香り発生部４と同様の香料が含有されたシャンプー、リンス、洗剤又は柔軟剤等の商品１１が陳列された商品棚１２の近傍に取り付けられる。本実施形態では、図５に示すように、フード部２の開口２０が通路１３側を向くように、商品棚１２の前方に取り付けられている。フード部２の開口２０を通路１３側に向けて取り付けることで、香り提示装置１の存在に気付いた消費者が香りを確認しやすくなる。
【００３１】
また本実施形態に係る香り提示装置１は、フード部２が、先端部２２に向かって放射方向に広がる円錐台形状に形成されているため目立ちやすく、商品棚１２の前方に取り付けることで、消費者に気付かれ易くなっている。
さらに本実施形態に係る香り提示装置１は、封止されたフード部２の基端部２１側に香り発生部４を配することで、フード部２内部の先端部２２側に香だまりを形成しやすくなる。そのため、例えば、店内の商品棚１２に香り提示装置１を取り付けた場合に、店内の空調の影響で香り発生部４の香りが飛んでしまうことが防止される。これにより、多くの消費者に香り提示装置１の香りを体験してもらうことができ、消費者の購買意欲が向上することを期待できる。
【００３２】
また本実施形態の香り提示装置１は、３Ｄ画像部３の画像３０が見る角度により変化する。例えば、図６（ａ）に示す（ｉ）の位置から３Ｄ画像部３の画像３０を見た場合は、図６（ｂ）のように見えた画像が、図６（ａ）に示す（ｉｉ）の位置から３Ｄ画像部３の画像３０を見た場合は、図６（ｃ）のように変化して見える。そのため、例えば、図５に示すように、消費者が商品棚１２の前の通路１３を歩いているときに、ふと目に入った香り提示装置１の画像３０が変化することで香り提示装置１に興味を持ち、香り提示装置１の前で立ち止まってくれることを期待できる。香り提示装置１の前で立ち止まった消費者は、香り提示装置１から発せられる香りに興味を持ち、香り提示装置１に顔を近づけるだけで、商品１１の香りを体験することができる。これにより、消費者の購買意欲が向上することが期待できる。
【００３３】
また本実施形態に係る香り提示装置１は、フード部２の開口面２０ａと３Ｄ画像部３の画像３０とが対面するように配されている。そのため、フード部２の内部に配された３Ｄ画像部３の画像が見やすくなっている。これにより、消費者が香り提示装置１に興味を持ち、香り提示装置１の前で立ち止まってくれることを期待できる。
【００３４】
また本実施形態に係る香り提示装置１は、フード部２が内部を視認可能に形成されている。そのため、正面以外からもフード部２の内部に配された３Ｄ画像部３の画像３０に気付きやすくなり、香り提示装置１に興味を持ってもらえることが期待できる。
【００３５】
以上説明したように、本実施形態に係る香り提示装置１によれば、商品１１の近くで、該商品１１と同様の香りを消費者に積極的に体験してもらうことができ、消費者が商品１１の購買意欲を向上させることを期待することができる。
【００３６】
以上、本発明をその好ましい実施形態に基づき説明したが、本発明は上述した実施形態に限定されない。
【００３７】
例えば、本実施形態においては、フード部を中空の円錐台形状に形成したが、本発明においては、フード部は、内部に設置された３Ｄ画像部３が見え、かつ香り溜りとなる空間部を有するという、相反する機能をバランスよく有するものであればよく、中空の円錐形状、中空の多角錐台形状又は中空の多角錐形状であっても良い。また、本実施形態では、先端部２２の開口面２０ａをフード部２の中心軸Ｘと直交するように形成したが、先端部２２の開口面２０ａを中心軸Ｘに対して所定角度傾斜するように形成しても良い。更に、本実施形態では、先端部２２の開口面２０ａの中心及び基端部２１の基端面２１ａの中心を同軸上に位置させたが、先端部２２の開口面２０ａの中心と基端部２１の基端面２１ａの中心とが同軸上にないものであっても良い。例えば、先端部２２の開口面２０ａの中心と基端部２１の基端面２１ａの中心とが、中心軸Ｘと直交する方向にずれていても良い。また、これらを組み合わせたものであっても良い。
【００３８】
また、本実施形態では、ピクチャーとして、３Ｄ画像部３を用いて説明したが、本発明においては、ピクチャーは、角度に応じて現れる内容が変化するものであればよく、立体画像やホログラム等を用いたものであっても良い。また、前述したように、ピクチャーは、例えば写真、絵画、看板、ポスター、パネル上の文字、書道、書画等の手書きした文字、図形等からなる原画に対し、その一部もしくは全体が実際に立体的に盛り上がっているか、若しくは原画自体は平面ではあるが、外見上その一部が盛り上がっているように見える画像（いわゆる３Ｄ画像）の何れかであっても良く、これらを組み合わせたものであっても良い。
【００３９】
また、本実施形態においては、フード部２の奥に香り発生部４を配してフード部２の奥から香りを発生させたが、本発明においては、香り発生部４は、フード部２の内部に配されていれば良い。例えば、フード部２の内周面２４やピクチャー等に芳香性液体組成物を塗布して、香り発生部としても良い。
また、フード部２を見る角度に応じて見え方が変化するようにする方法としては、フード部の内面に複数枚の鏡面を配したり、内面側が鏡面の複数の板状体からフード部を構成しても良い。
【符号の説明】
【００４０】
１  香り提示装置
２  フード部
２０  開口
２１  基端部
２２  先端部
３  ３Ｄ画像部（ピクチャー）
３０  画像
４  香り発生部
４０  香りビーズ
５  支持部材
１１  商品
１２  商品棚（任意の場所）
１３  通路（所定の方向）
【図１】
2018000691.tif 000003
【図２】
2018000691.tif 000004
【図３】
2018000691.tif 000005
【図４】
2018000691.tif 000006
【図５】
2018000691.tif 000007
【図６】
2018000691.tif 000008